(57)【要約】  本発明は、体毛を除去するための脱毛器（１）に関する。脱毛器が、ヘッド部（３）を有する本体（２）と、毛（５）を引き抜くためにヘッド部（３）内で第１の回転軸（Ｉ）を中心に回転可能な引き抜きシリンダ（６）と、引き抜きシリンダ（６）に対して移動可能にヘッド部（３）内に取り付けられた、毛（５）を剃るための少なくとも１つのシェービングブレード（８）と、を備える。少なくとも１つのシェービングブレード（８）は、少なくとも１つのシェービングブレード（８）がヘッド部（３）から突出しない後退位置と、少なくとも１つのシェービングブレード（８）がヘッド部（３）から突出する伸長位置との間で移動可能である。
2020524026.tif 000002
【特許請求の範囲】
【請求項１】
体毛を除去するための脱毛器であって、ヘッド部（３）を有する本体（２）と、毛（５）を引き抜くために前記ヘッド部（３）内で第１の回転軸（Ｉ）を中心に回転可能な引き抜きシリンダ（６）と、前記引き抜きシリンダ（６）に対して移動可能に前記ヘッド部（３）内に取り付けられた、毛（５）を剃るための少なくとも１つのシェービングブレード（８）と、を備える脱毛器において、
前記少なくとも１つのシェービングブレード（８）が、前記少なくとも１つのシェービングブレード（８）が前記ヘッド部（３）から突出しない後退位置と、前記少なくとも１つのシェービングブレード（８）が前記ヘッド部（３）から突出する伸長位置との間で移動可能であることを特徴とする、
脱毛器。
【請求項２】
前記少なくとも１つのシェービングブレード（８）が、前記ヘッド部（３）内に枢動可能に取り付けられていることを特徴とする、請求項１に記載の脱毛器。
【請求項３】
前記ヘッド部（３）が、前記少なくとも１つのシェービングブレード（８）をその後退位置に付勢する少なくとも１つの弾性変形可能要素（９）を含むことを特徴とする、請求項１又は２のいずれかに記載の脱毛器。
【請求項４】
前記引き抜きシリンダ（６）を駆動するための電気モータと、前記電気モータを作動させるための接触スイッチ（１９）とを更に備える、請求項１から３のいずれか一項に記載の脱毛器。
【請求項５】
前記少なくとも１つのシェービングブレード（８）が、前記少なくとも１つのシェービングブレード（８）が前記ヘッド部（３）から突出しない後退位置と、前記少なくとも１つのシェービングブレード（８）が前記ヘッド部（３）から突出する伸長位置との間で移動可能なカートリッジ（７）内に取り付けられていることを特徴とする、請求項１から４のいずれか一項に記載の脱毛器。
【請求項６】
前記カートリッジ（７）が、前記カートリッジ（７）を前記ヘッド部（３）の枢動軸（ＩＩ）を中心に枢動させるためのレバー機構（１０、１１、１２、１４、１５、１６、１７）に接続されていることを特徴とする、請求項５に記載の脱毛器。
【請求項７】
前記レバー機構がヨークばね（１２）を含み、前記ヨークばね（１２）が、前記引き抜きシリンダ（６）の回転時に、前記カートリッジ（７）を前記枢動軸（ＩＩ）を中心に前記伸長位置に枢動させるための力（ＦＲ）を前記カートリッジ（７）に対して加えるように前記引き抜きシリンダ（６）に結合されていることを特徴とする、請求項６に記載の脱毛器。
【請求項８】
前記カートリッジ（７）が湾曲したガイドトラック（１０）を含み、前記ヨークばね（１２）が、前記ガイドトラック（１０）内に案内されるスライドブロック（１１）を含むことを特徴とする、請求項７に記載の脱毛器。
【請求項９】
前記レバー機構が、使用者の皮膚（４）に接触するのに適したローラ（１４）を含み、前記ローラ（１４）が、前記ヘッド部（３）内で第２の回転軸（ＩＩＩ）を中心に回転可能であり、前記ヘッド部（３）に対して前記第２の回転軸（ＩＩＩ）に垂直な方向に移動可能であり、前記カートリッジ（７）に、前記ローラ（１４）に対して前記第２の回転軸（ＩＩＩ）に垂直な方向に加えられる力が前記カートリッジ（７）を前記枢動軸（ＩＩ）を中心に前記伸長位置へと枢動させる力へと伝達されるように結合されていることを特徴とする、請求項６に記載の脱毛器。
【請求項１０】
前記レバー機構が、前記ヘッド部（３）に前記枢動軸（ＩＩ）を中心に枢動可能に取り付けられたレバーアーム（１５）を含み、前記カートリッジ（７）が前記レバーアーム（１５）の一方の側に配置されており、前記ローラ（１４）が前記レバーアーム（１５）の他方の側に配置されており、前記枢動軸（ＩＩ）が前記カートリッジ（７）と前記ローラ（１４）との間に位置していることを特徴とする、請求項９に記載の脱毛器。
【請求項１１】
前記接触スイッチ（１９）が前記ヘッド部（３）に対する前記ローラ（１４）の位置に応じて作動するように、前記接触スイッチ（１９）が前記レバー機構に連結されていることを特徴とする、請求項４及び、請求項９又は１０に記載の脱毛器。
【請求項１２】
前記レバー機構が、前記カートリッジ（７）の前記伸長位置への枢動が許容される解放モードと前記カートリッジ（７）の前記伸長位置への枢動が防止される遮断モードとを、前記ローラ（１４）に対して前記第２の回転軸（ＩＩＩ）に垂直な方向に加えられる力（Ｆ）とは無関係に切り替えるための更なるスイッチ（１８）を含む解放機構（１６、１７、１８）を更に含むことを特徴とする、請求項９から１１のいずれか一項に記載の脱毛器。
【請求項１３】
請求項１に記載の脱毛器であって、キャップを更に備え、前記キャップが、前記少なくとも１つのシェービングブレード（８）に対して、前記キャップが前記少なくとも１つのシェービングブレード（８）を遮蔽する前記後退位置と前記キャップが前記少なくとも１つのシェービングブレード（８）を露出させる前記伸長位置との間で移動可能である、請求項１に記載の脱毛器。
【請求項１４】
前記ヘッド部（３）内に配置された少なくとも１つのラメラを更に備え、前記少なくとも１つのシェービングブレード（８）が、前記伸長位置から前記後退位置への移動の間に前記ラメラに接触する、請求項１から１３のいずれか一項に記載の脱毛器。
【請求項１５】
スキンケア製品を収容する少なくとも１つのリザーバを更に備え、前記リザーバが、前記引き抜きシリンダ（６）と前記少なくとも１つのシェービングブレード（８）との間に、前記第１の回転軸（Ｉ）に垂直な方向に介在する吐出口を有する、請求項１から１４のいずれか一項に記載の脱毛器。
【発明の詳細な説明】
【技術分野】
【０００１】
本発明は、体毛を除去するための脱毛器に関する。脱毛器が、ヘッド部を有する本体又はハウジングと、毛を引き抜くために第１の回転軸を中心に回転可能な引き抜きシリンダ、特に、好ましくは、ユーザの皮膚と接触したときに毛を引き抜くためのはさみ様のクランプ要素を有する引き抜きシリンダと、ユーザの皮膚と接触したときに毛を剃るための少なくとも１つのシェービングブレードと、を備える。少なくとも１つのシェービングブレードが、引き抜きシリンダに対して移動可能なヘッド部内に取り付けられている。
【０００２】
脱毛器本体又はハウジングのヘッド部が、ハウジング又は本体の一体部分であってもよいが、取り外し可能な構成部品であってもよい。引き抜きシリンダが、脱毛器のハウジング又は本体に取り付けられていてもよく、ヘッド部の開口部を通って延伸してもよい。典型的に、回転軸は、脱毛器の使用中に、すなわち、脱毛中に、ユーザの皮膚に少なくとも実質的に平行である。
【背景技術】
【０００３】
ウェットシェービング及び脱毛は、除毛に最もよく使用される方法の１つである。毛根からの除毛（脱毛）により、数週間は無毛の肌が確保されるが、ウェットシェービングは数回のストロークで肌を滑らかにし、優れた肌触りをもたらす。これらの組み合わせは、除毛の大きな可能性を拓く。脱毛バレルとシェーバーブレードとの両方を備えた除毛装置は、特に女性の除毛市場で求められる最も重要な消費者体験に応える。
【０００４】
そのような器具にブレードがある場合には、水、ジェル又は泡の形のプレシェービング剤を使用する必要がある。除毛は通常、湿った環境で行われる。ブレードを備えた脱毛器を使用すると、器具が比較的かさばる形状であり、（水とプレシェービング剤との組み合わせのために）ハンドルが滑りやすく、（背面に取り付けられた）ブレードが見えにくいために、ユーザに切り傷を負わせてしまう危険性がある。この危険性は、使用に対する恐怖感を高めてしまうおそれがある。更に、そのような器具の使用によって得られる除毛の効果は、装置の取り扱い方に大きく左右される。器具が前面に対して過度に傾けられると、ブレードが皮膚から持ち上がり、毛根からの除毛のみが行われる。滑らかな肌の利点が失われ、効率が大幅に低下する。また、脱毛バレルの回転運動が、使用中に液体（水及びプレシェービング剤）を周囲に飛散させる可能性がある。これは、特に器具が皮膚から持ち上げられている場合に、ユーザに不都合をもたらす。
【０００５】
引き抜きシリンダ及びシェービングブレードを備えた脱毛器が、例えばＥＰ  ２  ２２０  ９５８  Ｂ１から公知である。この装置は、シェービングブレードを保持するフレームを備え、フレームは、脱毛器のハウジング及びこれに取り付けられた引き抜きシリンダに対して枢動可能である。ブレードの向きを皮膚の輪郭に合わせることができることにより、脱毛器とシェーバーとの既知の組み合わせの上記の欠点のいくつかが回避される。
【先行技術文献】
【特許文献】
【０００６】
【特許文献１】ＥＰ  ２  ２２０  ９５８  Ｂ１
【発明の概要】
【発明が解決しようとする課題】
【０００７】
本開示の目的は、既知の装置の欠点を回避して消費者の安全性を高める、改良された脱毛器を提供することである。
【課題を解決するための手段】
【０００８】
本開示の一態様によれば、上記のように定義された脱毛器では、少なくとも１つのシェービングブレードが後退位置と伸長位置との間で移動可能である。後退位置では、少なくとも１つのシェービングブレードはヘッド部から突出しないが、伸長位置では、少なくとも１つのシェービングブレードはヘッド部から突出する。ブレードが隠されているとき、すなわち後退位置にあるときには、このことが、ユーザの皮膚がブレードと意図せずに接触することから生じうる負傷を防止する。従って、少なくとも１つのブレードが後退位置と伸長位置との間で移動することが、例えばこれらが意図せずに当たった場合、又は（湿潤状態での使用のために）器具が手から滑り出てしまった場合に、ブレードによって引き起こされる切り傷からユーザを保護することが可能である。更に、このことは、器具が使用されていないか又はオフになっているときにブレードを保護する。更に、各ストローク後のブレードの自己洗浄が実施されてもよい。少なくとも１つのブレードを見えないようにすると、器具の外観の無骨さを更に和らげることができる。脱毛器は、皮膚に当てられたときに、皮膚に押し付けられてもよく、これにより、シェービングの使用に適した伸長位置へとブレードが移動してもよい。
【０００９】
例えば、少なくとも１つのシェービングブレードが後退位置と伸長位置との間で移動することが、ヘッド部及び／又は引き抜きシリンダに対する少なくとも１つのシェービングブレードの移動を伴ってもよい。加えて又は代わりに、少なくとも１つのシェービングブレードが後退位置と伸長位置との間で移動することが、少なくとも１つのシェービングブレードの遮蔽を伴ってもよい。
【００１０】
更なる詳細及び本発明の特徴は、図面と併せて、実施形態の以下の説明から得ることができる。
【図面の簡単な説明】
【００１１】
【図１ａ】伸長状態の本発明の第１の実施形態による脱毛器を示す略断面図である。
【図１ｂ】後退状態の図１ａの脱毛器を示す図である。
【図２ａ】後退状態の本発明の第２の実施形態による脱毛器の略断面図を示す。
【図２ｂ】伸長状態の図２ａの脱毛器を示す図である。
【図２ｃ】遮断されたアイドル状態の図２ａの脱毛器を示す図である。
【図２ｄ】遮断された皮膚接触状態の図２ａの脱毛器を示す図である。
【発明を実施するための形態】
【００１２】
本開示の一実施形態によれば、少なくとも１つのシェービングブレードが、少なくとも１つのシェービングブレードを後退位置から伸長位置へ、及びその逆に移動させるためにヘッド部に対して移動可能である。例えば、少なくとも１つのシェービングブレードが後退位置と伸長位置との間で枢動できるように、少なくとも１つのシェービングブレードがヘッド部に枢動可能に取り付けられていてもよい。
【００１３】
脱毛器、特にヘッド部が、少なくとも１つのシェービングブレードをその後退位置に付勢する、例えばばねなどの少なくとも１つの弾性変形可能要素を備えてもよい。これには、弾性変形可能要素が少なくとも１つのシェービングブレードをその後退位置に移動させる装置が含まれ、更に、例えばキャップなどの別個の部品を、弾性変形可能要素によって、少なくとも１つのシェービングブレードの後退位置、すなわち、別個の部品が少なくとも１つのシェービングブレードを遮蔽する位置に移動させる装置が含まれる。
【００１４】
本開示による脱毛器が、引き抜きシリンダを駆動するための電気モータと、電気モータを作動させるための接触スイッチとを更に備えてもよい。加えて、電気モータを駆動するために、例えば再充電可能なバッテリ又は電源コネクタなどのエネルギー源が設けられていてもよい。接触スイッチが、圧力センサ、近接センサ、熱センサ又は接触センサを使用して作動されてもよい。器具を制御するためにセンサを使用してもよい。換言すれば、ユーザが皮膚に脱毛器を当て、ブレードが所定の力で皮膚に押し付けられると、脱毛器がオンになる。ブレードが皮膚に接触しており、力が所定の力値よりも低い間は、脱毛器はオンのままである。一方、脱毛器は、ユーザが所定の力値よりも大きな力をかけるとオフになる。この機能は、例えば脱毛器を後ろに傾けすぎているか、又はユーザが器具全体を強く押しすぎているなどの誤った取り扱いから生じうる過度に強い圧力をブレードにかけた場合に、ユーザに警告を与えることが可能である。
【００１５】
従って、接触スイッチを設けることにより、脱毛と剃毛との比率を最適とする器具の正しい取り扱いが可能になるだけでなく、皮膚へのブレードの圧力制御により穏やかな除毛及び完全な適応を実現することも可能になる。更に、接触スイッチを設けることで、脱毛器の使用中のノイズ及び／又は痛みを軽減し、快適な除毛体験に貢献しうる。更なる利点として、接触スイッチを使用することで、電流消費を削減し、それにより、特に水中用途におけるバッテリ機器の駆動時間を増加させることが可能である。更に、使用中に脱毛器が皮膚から持ち上げられたときに水が飛び散ることも防止される。
【００１６】
脱毛器が、単一のシェービングブレードを備えてもよい。しかしながら、脱毛器にいくつかのシェービングブレードを設けて、１回のシェービングストロークでの除毛の効果を高めることが好ましい場合がある。少なくとも１つのシェービングブレードが、少なくとも１つのシェービングブレードがヘッド部から突出しない後退位置と、少なくとも１つのシェービングブレードがヘッド部から突出する伸長位置との間で移動可能なカートリッジ内に取り付けられてもよい。脱毛器の使用中にユーザによって加えられる押圧力を使用して、カートリッジの動きを制御してもよい。押圧力が低い場合には、カートリッジ／ブレードは表面上に保持される。力が強すぎる場合には、良好なスキンケアのためにカートリッジを皮膚から離してもよい。又は、皮膚のさまざまな輪郭に適合するように、ブレードをモータで能動的に位置づけてもよい。
【００１７】
本開示による脱毛器では、少なくとも１つのブレード及び／又はカートリッジが、少なくとも１つのブレード及び／又はカートリッジを枢動軸を中心に枢動させるための、ヘッド部に設けられたレバー機構に接続されてもよい。例えば、カートリッジ／ブレードの動きが、オフィスで広く使用されている浸透印のゴム板の動きを参考としていてもよい。ただし、カートリッジ又はブレードの場合には、例えば９０°などの１８０°未満の回転で十分であってもよい。
【００１８】
更なる代替的な形態によれば、カートリッジ／ブレードの動きが接触スイッチによって制御されてもよい。脱毛器が皮膚に当てられると、接触スイッチが作動し、機器のモータ又は別のモータを作動させる。モータは、カートリッジ／ブレードをハウジングから表面まで移動させる。脱毛器が皮膚に接触している限り、カートリッジ／ブレードは表面上に保持される。脱毛器を皮膚から持ち上げると、接触スイッチがオフ状態になり、モータが停止する。引っ張りばねを使用して、カートリッジ／ブレードをハウジングに引き戻してもよい。
【００１９】
接触スイッチが、光学部品、機械部品、電気部品、又は電気機械部品であってもよい。接触スイッチを使用して、カートリッジ／ブレードの動きに加えて、脱毛バレル（引き抜きシリンダ）の回転を制御してもよい。例えば、ばねが解放されたとき、すなわち脱毛器が皮膚に接触しなくなったときに、ばね式の接触スイッチを使用して電気回路を遮断し、モータへの電流供給を中断してもよい。脱毛器を皮膚に当てると、ばねが圧縮され、電気接点が閉じて、電源からモータに電気が流れるようになる。脱毛器を皮膚から持ち上げると、ばねが再び解放されて、電気接点が開き、モータの回転が停止する。この機能により、脱毛器を皮膚から持ち上げたときの水の飛散が防止され、使用中に発生するノイズが低減し、電流消費が削減される。
【００２０】
皮膚にかかるブレードの圧力が最適になったときに、接触スイッチを作動させてもよい。脱毛器を前に傾けすぎることによる誤った取り扱いが行われた場合には、直ちに器具がスイッチオフされ、正しい取り扱いのための直接のフィードバックがユーザに対して提供される。この機能は、脱毛器を（ほとんどの場合は前方に）傾けすぎることにより、引き抜きシリンダ及びブレードの双方を皮膚から持ち上げてしまい、脱毛効率を低下させてブレードの動きを制限してしまいやすい新規ユーザにとって、特に有用である。従って、この機能は、非効率的な動きを回避する正しい取り扱いのための学習ツールとして機能しうる。更に、この機能は、毛根から除去される毛と表面で切断される毛との比率を最適にして、優れた肌触りを実現することも可能にする。
【００２１】
本開示の一例では、レバー機構が、引き抜きシリンダに結合されたヨークばねを備え、引き抜きシリンダの回転時に、ヨークばねがカートリッジに力を加えて、カートリッジを枢動軸を中心に伸長位置に枢動させるようになっていてもよい。より詳細には、カートリッジが湾曲したガイドトラックを含み、ヨークばねが、ガイドトラック内で案内されるスライドブロックを含んでもよい。従って、引き抜きシリンダの作動によるヨークばねの動きが、カートリッジを伸長位置に枢動させてもよい。この構成では、カートリッジ／ブレードの動きを脱毛器の状態と連動させることが可能である。脱毛器をオフにすると、カートリッジ／ブレードが隠され、アタッチメント又は脱毛器の本体に取り付けられたハウジング内に埋め込まれる。器具の電源を入れると、カートリッジ／ブレードがハウジングから出て表面に現れる。脱毛器のモータを、例えば、カートリッジ／ブレードの動きを駆動するために使用してもよい。脱毛器の電源を入れると、モータの力のモーメントがカートリッジ／ブレードに伝達され、ハウジングから押し出されうる。脱毛器がオフになるとすぐに、ばねを使用してカートリッジ／ブレードをハウジングに引き戻してもよい。別の一実施形態では、カートリッジ／ブレード又はブレードを遮蔽するキャップの動きが、別のモータで駆動されてもよい。
【００２２】
本開示の別の一実施形態では、レバー機構が、ユーザの皮膚への接触に適したローラを含む。ローラが、ヘッド部の第２の回転軸を中心に回転可能であってもよく、例えばユーザの皮膚に接触しているときに、第２の回転軸に垂直な方向にヘッド部に対して移動可能であってもよい。更に、ローラが、第２の回転軸に垂直な方向にローラに及ぼされる力がカートリッジ又はブレードを枢動軸を中心に伸長位置に枢動させる力へと伝達されるように、カートリッジ又はブレードに連結されていてもよい。換言すれば、少なくとも１つのブレードは、ローラがユーザの皮膚に接触していないアイドル状態にある限り、キャップによって引き込まれているか、又は遮蔽されている。より詳細には、レバー機構は、枢動軸を中心に枢動可能にヘッド部内に取り付けられたレバーアームを含んでもよく、カートリッジがレバーアームの一方の側に配置されており、ローラがレバーアームの他方の側に配置されていてもよく、枢動軸がカートリッジとローラとの間に位置していてもよい。
【００２３】
ローラは更に、脱毛器を作動させるため、すなわちオン又はオフにするために使用されてもよい。例えば、接触スイッチは、ヘッド部に対するローラの位置に応じて接触スイッチが作動するように、レバー機構に連結されていてもよい。
【００２４】
本開示の脱毛器では、レバー機構が、カートリッジ又はブレードの伸長位置への枢動が許容される解放モードと、カートリッジ又はブレードの伸長位置への枢動が第２の回転軸に垂直な方向にローラに加えられる力とは無関係に防止される遮断モードとを切り替えるための更なるスイッチを含む解放機構を更に含んでもよい。
【００２５】
脱毛器が、カートリッジ及び／又は少なくとも１つのブレードを後退位置と伸長位置との間で移動させるための電動駆動ユニットを更に備えてもよい。可動式のカートリッジ／ブレードの代わりに、別のモータで駆動されるか、又は器具のモータに連結されたキャップをスライドさせて、カートリッジ／ブレードを覆ってもよい。すなわち、脱毛器がオフになっている限り、キャップはカートリッジ／ブレードを被覆する。脱毛器をオンにすると、キャップが外され、カートリッジ／ブレードが露出する。更に、保護のためのアタッチメントを使用してもよい。脱毛器がユーザの皮膚に接触していないときに、アタッチメントの上部とブレード／引き抜きシリンダとの間に所定の高さのずれが確保されるように、アタッチメントをばね式に取り付けてもよい。従って、ブレードは隠され、ブレードとの意図しない接触に起因し得る損傷を防止する。ただし、脱毛器を皮膚に当てると、カートリッジ／ブレードと引き抜きシリンダとが皮膚に接触するまで、アタッチメントが皮膚に押し付けられる。アタッチメントが、引き抜きシリンダとカートリッジ／ブレードとの両方を被覆してもよいが、カートリッジ／ブレードのみを被覆してもよい。
【００２６】
カートリッジ／ブレードの動きを、少なくとも１つのブレードの洗浄に使用してもよい。この場合、少なくとも１つのラメラがヘッド部内に配置され、少なくとも１つのシェービングブレードが伸長位置から後退位置への移動中にラメラに接触するようになっていてもよい。言い換えれば、カートリッジ／ブレードの動きが、ブレード間でスライドして、残っているプレシェービング剤及び毛屑を押しのける、例えばゴム製のリップなどのラメラの動きと組み合わされてもよい。リップは、カートリッジ／ブレードが皮膚に接触すると前方に動き、カートリッジ／ブレードが皮膚から持ち上げられるとすぐに元に戻る。ゴム製のリップは、ブレードを洗浄し、各ストロークの後に各ブレードの前面に蓄積された残余物を取り除く。洗浄が、エアブロー又は吸引動作によって補完されてもよい。
【００２７】
脱毛器が、スキンケア製品を収容する少なくとも１つのリザーバを更に備えてもよい。例えば、リザーバは、引き抜きシリンダと少なくとも１つのシェービングブレードとの間に、第１の回転軸に垂直な方向に介在する吐出口を有する。リザーバが、ローション又はクリームの形の脱毛後処理剤を収容してもよいが、ユーザの皮膚への化粧品の塗布具として使用されてもよい。接触スイッチを、化粧品を送出するためのポンプを制御するために使用してもよい。カートリッジが皮膚に接触するとポンプがオンになり、タンクからカートリッジを通して皮膚へと化粧品を送出する。器具が皮膚から持ち上げられると、ポンプがオフになる。あるいは、化粧品の塗布が、オフィス用の浸透印を使用する際のインキ転移と同様の方法で行われてもよい。
【００２８】
脱毛器が、上記の特徴とは無関係に、伸長位置と後退位置との間で移動可能な引き抜きシリンダを、例えば調節可能な付勢力によって伸長位置に付勢する第１の弾性変形可能要素を更に備えてもよい。脱毛器が、少なくとも１つの更なる弾性変形可能要素と、本体の引き抜きシリンダと同じ側に載置され、引き抜きシリンダがその間に介在している少なくとも２つのローラとを有する少なくとも１つのローラ装置を更に備えてもよい。ローラは、伸長位置と後退位置との間で、本体に対して、例えば個別に、又は一緒に移動可能であり、少なくとも１つの更なる弾性変形可能要素が、ローラを伸長位置に付勢する。例えば、ローラ装置は、２つのローラを備え、それぞれが、伸長位置と後退位置との間に対して各ローラを個別に移動させるための、別個の弾性変形可能要素を有する。代替的に、ローラ装置は、２つ以上のローラを支持し、また、ローラを、例えば一緒に、伸長位置に付勢するための１つ以上の弾性変形可能要素を有する、フレームを備えることができる。
【００２９】
ローラ、引き抜きシリンダ、及び弾性変形可能要素は、ローラ及び引き抜きシリンダを平坦面に、例えばユーザの皮膚に押圧しているときに、ローラによって及ぼされる力が引き抜きシリンダによって及ぼされる力を超えるように配設及び適合される。すなわち、ローラの少なくとも１つの弾性変形可能要素によって及ぼされる付勢力の合計は、引き抜きシリンダの少なくとも１つの弾性変形可能要素によって及ぼされる付勢力の合計を超える。好ましくは、ローラに及ぼされる付勢力は、調節可能である。換言すれば、脱毛器を皮膚部分のような表面に押圧することに応答して生成される力は、主にローラによる反作用を受ける。このことは、引き抜きシリンダが表面と密着しているにもかかわらず、脱毛器が、皮膚と引き抜きシリンダとの間の大きな摩擦による有害な影響を受けないという効果をもたらす。
【００３０】
脱毛器の使用中に引き抜きシリンダに及ぼされる力を低減させることは、引き抜きシリンダを伸長位置に付勢する少なくとも１つの弾性変形可能要素の結果として生じるばね定数が、ローラを伸長位置に付勢する少なくとも１つの更なる弾性変形可能要素の結果として生じるばね定数よりも小さいという点において達成することができる。加えて又は代替として、本体に対するローラの最大移動は、本体に対する引き抜きシリンダの最大移動よりも小さくなるように制限することができる。
【００３１】
弾性変形可能要素の非応力状態において、本体の反対側に面するローラの表面は、平面を画定することができ、引き抜きシリンダは、この平面に対して本体の方へオフセットされる。換言すれば、引き抜きシリンダ及びローラは、伸長アイドル状態において、ローラが、回転軸に対して垂直な方向に、引き抜きシリンダよりも所与のオフセット分だけ更に本体から離れて突出するように、本体内又は上に載置される。
【００３２】
好ましくは、皮膚処理装置は、ユーザの皮膚に対する引き抜きシリンダ及び／若しくはローラの接近を検出するための、又は引き抜きシリンダ及び／若しくはローラとユーザの皮膚との接触を検出するための、少なくとも１つの検出器を更に備える。検出器は、制御ユニットに信号を伝達するために、制御ユニットに結合される。更に、制御ユニットは、検出器から受信される信号に応じて、駆動ユニット及び／又は引き抜きシリンダの起動を制御するように、設計及び配設される。換言すれば、引き抜きシリンダ及び／又はローラの作動は、皮膚処理装置がユーザの皮膚と接触しているかどうか、又は少なくともユーザの皮膚と接触する寸前であるかどうかに依存する。例えば、引き抜きシリンダに作用するばね及び／又はローラに作用するばねは、電気的回路を閉じて、及び開いて、モータへの電流送達を命令するための接触スイッチとして使用することができる。脱毛器は、ばねが圧迫された（脱毛器が皮膚の上にある）ときにオンになり、ばねが解放された（脱毛器を皮膚から持ち上げた）ときにオフになる。一般に、検出器は、機械式検出器、圧力センサ、近接センサ、熱センサ、及び接点センサのうちの少なくとも１つを備える。制御ユニットが駆動ユニットのスイッチをオン及びオフにすることに加えて又は代替として、制御ユニットは、検出器（複数可）から受信される信号に応じて、駆動ユニットの速度を調整することができる。
【００３３】
図１ａ及び図１ｂの実施形態では、脱毛器１は、本体２又は外側ハウジングと、脱毛器１の動作中に毛５を除去するためにユーザの皮膚４に向けられるヘッド部３とを備えることが部分的に図示されている。詳細には図示されていないが、ヘッド部３は、本体２から取り外し可能であってもよい。駆動ユニット（図示せず）が、例えば充電式バッテリ及び電気モータを備える本体２内に設けられている。
【００３４】
電気モータが、例えば歯車装置によって、引き抜きシリンダ６、すなわち引き抜きシリンダ６が回転しているときにユーザの皮膚４から毛５を引き抜いて除去するための、例えばはさみ様のクランプ要素を有する脱毛器ドラムに結合されている。引き抜きシリンダ６は、第１の回転軸Ｉを中心に回転可能に本体２内又はヘッド部３内に取り付けられている。
【００３５】
脱毛器１は、２つのシェービングブレード８を備えたカートリッジ７を更に備える。図１ａ及び図１ｂの実施形態では２つのシェービングブレード８が描かれているが、単一のシェービングブレード８又は３つ以上のシェービングブレード８がカートリッジ７内に設けられていてもよい。カートリッジ７は、枢動軸ＩＩを中心に枢動可能に本体２内又はヘッド部３内に取り付けられている。換言すると、カートリッジ７が、少なくとも１つのシェービングブレード８が本体２及びヘッド部３からユーザの皮膚４（図１ａ）に向かって突出する伸長位置から、少なくとも１つのシェービングブレード８が本体２及びヘッド部３から突出しない後退位置（図１ｂ）まで枢動してもよい。図１ａ及び図１ｂに示される例示的な実施形態では、枢動軸ＩＩは、本体２の長孔内で案内される。
【００３６】
ばね９は、一端でカートリッジ７に接続され、他端で脱毛器１の本体２又はヘッド部３に接続されている。ばね９は、カートリッジ７がその伸長位置にあるときに張力がかかり、ばね９が力ＦＦでカートリッジ７をその後退位置に向かって付勢するように選択される。
【００３７】
カートリッジ７は、図１ａ及び図１ｂに示されている実施形態では湾曲しているガイドトラック１０を更に備える。スライドブロック１１が、ガイドトラック１０内で案内される。スライドブロック１１は、引き抜きシリンダ６と相互作用するヨークばね１２上に配置されているか、又はその一部であり、引き抜きシリンダ６の回転によりヨークばね１２がスライドブロック１１を介してガイドトラック１０に対して力ＦＲを作用させることにより、シェービングブレード８を備えたカートリッジ７を、ばね９の付勢に抗して伸長位置に枢動させるようになっている。スライドブロック１１とガイドトラック１０とを備えたヨークばね１２は、カートリッジ７及びシェービングブレード８を作動させるためのレバー機構を形成する。換言すれば、引き抜きシリンダ６の作動時に、シェービングブレード８を備えたカートリッジ７は、ユーザの皮膚４から毛５を切り取るのに適した伸長位置に自動的に動かされる。この位置では、カートリッジが皮膚に接触すると、カートリッジに反力ＦＳが作用する。一方、シェービングブレード８を備えたカートリッジ７は、引き抜きシリンダ６の回転を停止することにより力ＦＲがなくなると、ばね９の力により自動的に後退位置に戻される。それにより、シェービングブレード８は、ユーザがブレード８によって引き起こされる切り傷から保護され、またブレード８が保護されて隠される後退位置へと動かされる。
【００３８】
脱毛器１において、シェービングブレード８によるウェットシェービングでは、わずかなストロークで皮膚４が滑らかになり、肌触りが良くなるが、引き抜きシリンダ６による毛根からの除毛を組み合わせることにより、数週間は無毛の皮膚４が確保される。図１ａ及び図１ｂの実施形態では、引き抜きシリンダ６とシェービングブレード８を備えたカートリッジ７とは、脱毛器１を使用方向に使用する間、最初に毛５が引き抜きシリンダ６によって毛根から除去され、その後、残っている毛５がブレード８によって剃り取られるように構成されている。換言すれば、脱毛器１は、動作中、図１ａ及び図１ｂに示すように右から左に移動する。
【００３９】
脱毛器１の第２の実施形態が図２ａから２ｄに示されている。この実施形態では、脱毛器１の内部構成部品のより良い理解のために、本体２及びヘッド部３の複数の部分が描かれていない。本体２又はヘッド部３の一部であってもよいフレーム１３が示されている。引き抜きシリンダ６及びシェービングブレード８を有するカートリッジ７に加えて、脱毛器１は、引き抜きシリンダ６の両側に設けられたローラ１４の形の２つの刺激要素を更に備える。引き抜きシリンダ６及びローラ１４は、それぞれの軸、すなわち、図面の平面に垂直に延伸する引き抜きシリンダ６の第１の回転軸Ｉ及びローラ１４の第２の回転軸ＩＩＩを中心として回転可能にそれぞれ支持されている。すなわち、これらの軸は互いに平行であり、使用の際には、少なくとも実質的にユーザの皮膚４に対して平行である。
【００４０】
フレーム１３は、枢動軸ＩＩを中心に枢動可能にヘッド部３内に取り付けられたレバーアーム１５を備えるレバー機構に接続されている。カートリッジ７はレバーアーム１５の一方の側（図２ａ〜図２ｄの左側）に配置され、ローラ１４の１つはレバーアーム１５の他方の側（図２ａ〜図２ｄの右側）に配置されている。枢動軸ＩＩは、カートリッジ７とローラ１４との間、例えばレバーアーム１５の実質的に中央に位置する。ばね９は、第１の実施形態と同様の方法で、すなわち、シェービングブレード８を有するカートリッジ７をばね９で後退位置に付勢することにより、カートリッジ７及びフレーム１３に取り付けられる。レバーアーム１５、カートリッジ７及びローラ１４のこの配置により、カートリッジ７は、それぞれ図２ａに示す後退位置と図２ｂに示す伸長位置との間で枢動することができる。より詳細には、ユーザの皮膚４との接触によりローラ１４に加えられる力Ｆは、ばね９の付勢に抗して、カートリッジ７を枢動軸ＩＩを中心に伸長位置へと枢動させる。一方で、ローラ１４がユーザの皮膚４から持ち上げられるとすぐに、ばね９はカートリッジ７を後退位置へと引き込む。
【００４１】
レバーアーム１５は、スイッチ１８とともに解放機構を形成する２つのヒンジ式アーム１６、１７によってフレーム１３に接続されている。ヒンジ式アーム１６、１７を、スイッチ１８により、カートリッジ７の伸長位置への枢動を可能にする解放モード（図２ａ及び図２ｂ）並びに、カートリッジ７の伸長位置への枢動が、第２の回転軸ＩＩＩに垂直な方向にローラ１４に加えられる力とは無関係に防止される遮断モード（図２ｃ及び２ｄ）としてもよい。
【００４２】
図示する実施形態では、ヒンジ式アーム１６、１７は、解放モードでは実質的に前後に延伸し、すなわち直線を形成し、一方、ヒンジ式アーム１６、１７は、遮断モードでは互いに対して傾斜し、それにより、フレーム１３の方へとローラ１４を引き込む。図２ａと図２ｃとを比較すると、遮断モードでは、ヒンジ式アーム１６、１７が相互に対して傾斜していることにより、ローラ１４を有するレバーアーム１５がフレーム１３の方へと後退するため、ユーザの皮膚４への接触時のレバーアーム１５のたわみはわずかである。その結果、ローラ１４がユーザの皮膚４と接触しても、シェービングブレード８を備えたカートリッジ７は、伸長位置に移動するのに十分な程度までレバーアーム１５を枢動させない。図２ａ〜図２ｄの実施形態では、スイッチ１８は、スイッチ１８を解放モード又は遮断モードのいずれかに解放可能に固定するスナップ要素とともに示されている。
【００４３】
図２ａ〜２ｄの実施形態は、任意の更なる特徴として、引き抜きシリンダ６を駆動する（図示されていない）モータを作動させるための機械的接触スイッチ１９を備えた脱毛器１を示す。接触スイッチ１９を、例えば、ヒンジ式アーム１６、１７の間のヒンジに又はその近くに配置して、ユーザの皮膚４に押し付けられたときにレバーアーム１５が接触スイッチ１９に当接するようにしてもよい。換言すれば、脱毛器１及びその引き抜きシリンダ６を、ローラ１４がユーザの皮膚４に接触していないアイドル状態でスイッチオフすることが可能である一方で、脱毛器１の引き抜きシリンダ６を駆動するモータは、脱毛器１が十分な力Ｆでユーザの皮膚４に当てられている状態で自動的にスイッチオンされることにより、ばね９の付勢に抗してレバーアーム１５を枢動させる。
【００４４】
図には示されていないが、機械的接触スイッチ１９の代わりに、光学的、電気的又は電気機械的構成要素を接触スイッチとして使用してもよい。そのような接触スイッチを、引き抜きシリンダ６の作動を制御するためだけでなく、カートリッジ７と、カートリッジ７を後退位置及び伸長位置にそれぞれ動かすための別個の駆動ユニットを備えてもよいシェービングブレード８との動きを制御するために使用することが可能である。そのような接触スイッチ又は機械的接触スイッチ１９を、例えば、使用中の脱毛器１の不適切な位置合わせ又は向きのために、ユーザが脱毛器１で皮膚４に強すぎるか又は弱すぎる力を加えてしまうことを防止する圧力制御のために更に使用することも可能である。
【００４５】
図に示す実施形態の更なる代替的な形態として、カートリッジ７を後退位置に能動的に移動させる代わりに、カートリッジ７及び／又はシェービングブレード８を遮蔽するキャップなどを設けてもよい。換言すれば、後退位置と伸長位置とを切り替えるためにキャップをカートリッジ７に対して動かす間、シェービングブレード８を備えるカートリッジ７が静止状態に保たれてもよい。
【００４６】
加えて、図には示されていないが、伸長位置から後退位置へ、及び／又はその逆に枢動する際にシェービングブレード８を洗浄するためのラメラが設けられてもよい。更に、例えばスキンケア製品を収容するリザーバ（図示せず）が、脱毛器１内又は脱毛器１に設けられてもよい。例えば、リザーバの吐出口が、引き抜きシリンダ６とシェービングブレード８を備えたカートリッジ７との間に配置されてもよい。
【００４７】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味するものとする。
【００４８】
参照番号
１      脱毛器
２      本体／外側ハウジング
３      ヘッド部
４      皮膚
５      毛
６      引き抜きシリンダ
７      カートリッジ
８      シェービングブレード
９      ばね
１０    ガイドトラック
１１    スライドブロック
１２    ヨークばね
１３    フレーム
１４    ローラ
１５    レバーアーム
１６、１７  ヒンジ式アーム
１８    スイッチ
１９    接触スイッチ
Ｉ      第１の回転軸
ＩＩ    枢動軸
ＩＩＩ  第２の回転軸
ＦＲ      力
ＦＦ      ばね力
ＦＳ      反力
Ｆ      ローラ１４に作用する力
【図１ａ】
2020524026.tif 000003
【図１ｂ】
2020524026.tif 000004
【図２ａ】
2020524026.tif 000005
【図２ｂ】
2020524026.tif 000006
【図２ｃ】
2020524026.tif 000007
【図２ｄ】
2020524026.tif 000008
【国際調査報告】
2020524026.tif 000009
2020524026.tif 000010